(57)【要約】【課題】遊技領域を有する遊技盤を着脱自在に装着する前面枠と、遊技盤の後方位置であって前記前面枠の裏面に、画像を表示する表示ユニットを配設した裏機構枠を設けた遊技機において、遊技機内部に籠もる熱を逃がす。【解決手段】裏機構枠１６０に表示ユニット収納部１６８の内部の熱を外部に放出する放熱手段２００を設け、遊技機１００にこもる熱を外部に逃がし、各種電気機器の故障を防止するとともに、遊技盤１の変色を防止する。【選択図】図６
2008142378.tif 000002
【特許請求の範囲】
【請求項１】
遊技領域を有する遊技盤を着脱自在に装着する前面枠と、
前記遊技盤の後方位置であって前記前面枠の裏面に設けられ、画像を表示する表示ユニットを配設した裏機構枠と、を備えた遊技機において、
前記遊技盤は、透明合成樹脂で形成することで、該遊技盤を透して前記表示ユニットの表示画像を遊技機前方から視認可能とし、
前記裏機構枠は、前側に開口した凹室状の表示ユニット収納部を備え、該表示ユニット収納部に前記表示ユニットを収納することで、前記前面枠における前記遊技盤の後方位置であって該遊技盤と所定間隔を設けた状態で前記表示ユニットを配設可能とし、
前記裏機構枠に前記表示ユニット収納部の内部の熱を外部に放出する放熱手段を設けたことを特徴とする遊技機。
【請求項２】
前記遊技盤の裏面であって前記表示ユニット収納部と対向する位置に、
前記遊技盤前方から視認可能で前方に備えられる前面装飾部材と、
前記前面装飾部材の後方に設けられた可動部材と、
前記前面装飾部材の後方に設けられ前記可動部材を駆動する駆動源と、
を備え、
前記駆動源を動作することで、前記可動部材を前記前面装飾部材で隠蔽された位置から遊技者に視認可能な位置に現出させるようにした役物装置を設け、
前記役物装置は前記表示ユニット収納部に収納されることを特徴とする請求項１に記載の遊技機。
【請求項３】
前記放熱手段は、ファンにより前記表示ユニット収納部内の換気を行う換気装置を備えることを特徴とする請求項１または２に記載の遊技機。
【請求項４】
前記放熱手段は、該放熱手段からの振動が前記裏機構枠に伝達することによる前記裏機構枠の振動を防止する振動防止部材を備えることを特徴とする請求項１から３の何れか一項に記載の遊技機。
【請求項５】
前記放熱手段を、前記表示ユニット収納部の上側であって前記遊技盤と前記表示ユニットとの間となる位置に配設したことを特徴とする請求項１から４の何れか一項に記載の遊技機。
【発明の詳細な説明】
【技術分野】
【０００１】
本発明は、遊技領域を有する遊技盤を着脱自在に装着する前面枠と、遊技盤の後方位置であって前面枠の裏面に、画像を表示する表示ユニットを配設した裏機構枠を設けた遊技機に関する。
【背景技術】
【０００２】
従来の遊技機は、遊技領域を形成する遊技盤と該遊技盤を取り付ける前面枠（本体枠）とが設けられている。前面枠には遊技盤を着脱自在に装着する遊技盤装着部が形成され、遊技盤を新たなものに交換可能に構成されている。そして、遊技盤を装着部に装着する場合には遊技領域が前面側に臨むように遊技盤が装着されていることとなるが、遊技盤には電気機器（液晶表示装置など）が配設されていて、該電気機器は遊技盤の裏面に取り付けられたり或いは貫通して取り付けられたりすることから遊技盤に取り付けられた状態では後方側に突出するようになっている。近年では、遊技盤に配設される電気機器、特に液晶表示装置の大型化に伴い、遊技盤の後方側の広範囲に電気機器が突出するようになっている。
【０００３】
一方、前面枠の裏面側には、島設備から供給される遊技球を一時的に貯留する貯留タンクが設けられている。該貯留タンクの下流側には導出流路が設けられ、貯留タンクに貯留された遊技球は導出流路を流下して整列されながら遊技機裏面の一側方部（前面枠の軸着側）に導かれるようになっている。前面枠の一側方部には垂直方向に誘導流路が形成されているが、この誘導流路の上流端部は前記導出流路の下流端部と接続されていて、導出流路を流下した遊技球は前面枠の側端部近辺で垂直方向に流下方向を変更することとなっている。そして前記誘導流路の途中には排出装置が設けられ、この排出装置により所定数ずつ遊技球が排出されるようになっている。すなわち、前面枠の裏面においては、遊技盤の後方位置の部位に開口部が形成されて、上記遊技球の排出機構部は、この開口部を避けるように配設されるようになっている。そして、遊技盤から後方側に突出する電気機器は該開口部に挿入されて後方側に臨むようになっている。
【０００４】
従来の遊技機においては、液晶表示装置などの画像表示装置が遊技盤に取り付けられていることから、遊技盤の交換毎に比較的高価な画像表示装置も同時に交換しなければならず、非常に無駄の多い構成であった。そこで、画像表示装置を前面枠側に配設するようにして遊技盤の交換の際に画像表示装置をそのまま前面枠に残せるようにした遊技機も考えられている（例えば、特許文献１参照）。このような遊技機では、遊技盤を透明合成樹脂で形成し、その後方に配設された画像表示装置の表示を、遊技盤を透かして見せるように構成されている。
【特許文献１】特開２００５−１３１３２９号公報
【発明の開示】
【発明が解決しようとする課題】
【０００５】
しかしながら、上記した遊技機では、従来のように遊技盤に画像表示装置の取付用の開口等が無いことから、遊技盤と画像表示装置の間の空間が密閉された状態となり、画像表示装置や遊技盤背面に取り付けられた電気的機器から放出される熱で、空間内が極めて高温となってしまう。その結果、高温が原因で画像表示装置や電気的機器が故障してしまうといった課題が生じている。さらには、高温が原因で合成樹脂製の遊技盤が変色してしまう虞もあり、遊技盤が変色して透明度が低下すると画像表示が見づらくなってしまうことから極めて重大な問題点となってしまう。
また、画像表示装置の後方も遊技機の裏側の各種構成部材で塞がれることも多く、このような構成であると更に熱の逃げ道が無くなり、課題が大きくなってしまう。
【０００６】
本発明の目的は、遊技領域を有する遊技盤を着脱自在に装着する前面枠と、遊技盤の後方位置であって前記前面枠の裏面に、画像を表示する表示ユニットを配設した裏機構枠を設けた遊技機において、遊技機内部にこもる熱を逃がすことである。
【課題を解決するための手段】
【０００７】
以上の課題を解決するため、請求項１に記載の発明は、遊技領域を有する遊技盤を着脱自在に装着する前面枠と、
前記遊技盤の後方位置であって前記前面枠の裏面に設けられ、画像を表示する表示ユニットを配設した裏機構枠と、を備えた遊技機において、
前記遊技盤は、透明合成樹脂で形成することで、該遊技盤を透して前記表示ユニットの表示画像を遊技機前方から視認可能とし、
前記裏機構枠は、前側に開口した凹室状の表示ユニット収納部を備え、該表示ユニット収納部に前記表示ユニットを収納することで、前記前面枠における前記遊技盤の後方位置であって該遊技盤と所定間隔を設けた状態で前記表示ユニットを配設可能とし、
前記裏機構枠に前記表示ユニット収納部の内部の熱を外部に放出する放熱手段を設けたことを特徴とする。
【０００８】
ここで「放熱手段」は、例えば、表示ユニット収納部内の換気を行うことで放熱するものや、外部と連通する開口部を備え自然対流により放熱するもの、放熱板、ヒートシンクを備えるもの、水や冷媒などを循環させて冷却するものであり、これらを単独で用いても良いし、併用しても良い。
【０００９】
請求項１に記載の発明によれば、前面枠における遊技盤の後方位置に表示ユニットを配設するとともに、遊技盤を透明合成樹脂で形成することで、該遊技盤を透して表示ゲームを遊技機前方から視認可能に構成したので、遊技盤を交換する場合でも、表示ユニットは交換する必要がないので、表示ユニットを新たな遊技盤でも使用できるといった効果を奏する。また、遊技機の入れ替え時に遊技機全体を交換する場合でも、表示ユニットは遊技盤と別構成であるので、表示ユニットを簡単に取り外せることから、表示ユニットを再利用する際にも効果的である。また、遊技盤と所定間隔を設けた状態で表示ユニットを配設するようにしたので、画像表示を見やすくすることができ、また、遊技盤と表示ユニットの間の空部に役物装置を備えることもでき、この空部の間隔を大きくすれば大型の役物装置の配設も可能となり、遊技の興趣を高めることができる。
【００１０】
また、裏機構枠に表示ユニット収納部の内部の熱を外部に放出する放熱手段を設けたので、遊技機にこもる熱を外部に逃がすことができ、各種電気機器の故障を防止できるとともに、遊技盤の変色を防止できる。
【００１１】
請求項２に記載の発明は、請求項１に記載の遊技機であって、前記遊技盤の裏面であって前記表示ユニット収納部と対向する位置に、
前記遊技盤前方から視認可能で前方に備えられる前面装飾部材と、
前記前面装飾部材の後方に設けられた可動部材と、
前記前面装飾部材の後方に設けられ前記可動部材を駆動する駆動源と、
を備え、
前記駆動源を動作することで、前記可動部材を前記前面装飾部材で隠蔽された位置から遊技者に視認可能な位置に現出させるようにした役物装置を設け、
前記役物装置は前記表示ユニット収納部に収納されることを特徴とする。
【００１２】
請求項２に記載の発明によれば、可動部材を前面装飾部材で隠蔽された位置から遊技者に視認可能な位置に現出させるようにした役物装置を設けたので、遊技の興趣を向上できる。
また、役物装置は表示ユニット収納部に収納されるようにしたので、役物装置から放出される熱も放熱手段により逃がすことができる。
【００１３】
請求項３に記載の発明は、請求項１または２に記載の遊技機であって、前記放熱手段は、ファンにより前記表示ユニット収納部内の換気を行う換気装置を備えることを特徴とする。
【００１４】
ここで、「換気装置」は、例えば、ファンにより表示ユニット収納部内の空気を排気するか、逆に外部の空気を表示ユニット収納部内に送り込むことで表示ユニット収納部内の換気を行うものである。
【００１５】
請求項３に記載の発明によれば、放熱手段は、ファンにより表示ユニット収納部内の換気を行う換気装置を備えるので、効率よくかつ確実に表示ユニット収納部内の熱を外部に放出できる。
【００１６】
請求項４に記載の発明は、請求項１から３の何れか一項に記載の遊技機であって、前記放熱手段は、該放熱手段からの振動が前記裏機構枠に伝達することによる前記裏機構枠の振動を防止する振動防止部材を備えることを特徴とする。
【００１７】
ここで、「振動防止部材」とは、例えば、ゴムやスポンジ、ばねなどの弾性部材である。
【００１８】
請求項４に記載の発明によれば、放熱手段は、該放熱手段からの振動が裏機構枠に伝達することによる裏機構枠の振動を防止する振動防止部材を備えるので、放熱手段の駆動に伴って遊技盤や表示ユニットが揺れてしまうことを防止できる。
【００１９】
請求項５に記載の発明は、請求項１から４の何れか一項に記載の遊技機であって、前記放熱手段を、前記表示ユニット収納部の上側であって前記遊技盤と前記表示ユニットとの間となる位置に配設したことを特徴とする。
【００２０】
請求項５に記載の発明によれば、放熱手段を、表示ユニット収納部の上側であって遊技盤と表示ユニットとの間となる位置に配設したので、特に熱がこもりやすい遊技盤と表示ユニットの間から効率よく熱を逃がすことができる。
【発明の効果】
【００２１】
本発明によれば、裏機構枠に表示ユニット収納部の内部の熱を外部に放出する放熱手段を設けたので、遊技機にこもる熱を外部に逃がすことができ、各種電気機器の故障を防止できるとともに、遊技盤の変色を防止できる。
【発明を実施するための最良の形態】
【００２２】
以下、この発明の実施形態について図面を参照して説明する。
ここでは、本発明にかかる遊技機の適例としてのパチンコ遊技機について図１から図８を用いて説明を行う。
【００２３】
図１から３に示すように、本実施形態の遊技機１００は、矩形枠状に構成された機枠１１０を備え、機枠１１０の前面側には、該機枠１１０に対して前方向へ扉状に回動可能に矩形枠状の前面枠１２０が軸着されている。なお、矩形枠状の機枠１１０は、裏面側から見て左側の一辺が金属製とされ、その他の辺は木製となっている。これによって、裏面側から見て左側の一辺においては、強度を保ったまま厚みを薄くでき、後述するように大型の表示ユニット１７０を備える裏機構枠１６０の配設を可能としている。
【００２４】
前面枠１２０は、当該前面枠１２０に備えられる各種部材等の取付用のベースとなる前面枠本体１３０と、当該前面枠本体１３０に対して、その前面側に回動可能に軸支されたクリア部材保持枠１４０と、前面枠本体１３０の前面のクリア部材保持枠１４０の下側に取り付けられた発射操作ユニット１５０と、前面枠本体１３０の裏面側に回動可能に軸支され、表示ユニット１７０を備える裏機構枠１６０とを有する。
【００２５】
前面枠本体１３０は、矩形枠状の機枠１１０の前面側をちょうど覆うような概略矩形板状に構成されるとともに、その中央から上端部に渡る部分に後述する遊技盤１を嵌め込んで収容するための方形状の開口部１３１が形成されている。そして、前面枠本体１３０に収容された遊技盤１の前面が前面枠本体１３０の開口部１３１から前側に臨むようになっている。すなわち遊技盤１は、前面枠本体１３０に嵌め込まれることで前面枠１２０に取り付けられている。
【００２６】
また、前面枠本体１３０の遊技盤１が嵌め込まれた開口部１３１、すなわち、前面枠本体１３０の中央より少し下側から上端部にわたる部分には、前面枠本体１３０の前側を覆うクリア部材保持枠１４０が配置されており、遊技盤１の前面とクリア部材保持枠１４０に嵌め込まれたクリア部材としてのガラス板１４１との間で、遊技盤１の前面に設けられた遊技領域区画壁９に囲まれた部分が、遊技球が発射されて流下する第１遊技領域１ａとされている。
【００２７】
また、クリア部材保持枠１４０の一方の側部（遊技機１００の前面側から見て左側の側部）は、前面枠本体１３０の一方の側部に回動可能に軸支されて、扉状に開閉自在とされ、クリア部材保持枠１４０を開くことにより、遊技盤１の前面側の第１遊技領域１ａの前側を開放可能となっている。クリア部材保持枠１４０には、前面枠本体１３０の開口部１３１をほぼ閉塞するように、該開口部１３１に嵌め込まれた遊技盤１との間に遊技球が流下可能な第１遊技領域１ａとなる間隔を開けて二重のガラス板１４１が固定されている。そして、クリア部材保持枠１４０において、遊技機１００の前側からガラス板１４１を介して遊技盤１の前面側の少なくとも第１遊技領域１ａの部分が視認可能となっている。また、クリア部材保持枠１４０の前面であって、ガラス板１４１が固定されて第１遊技領域１ａを視認可能とする部分の周囲には、枠装飾装置としてのランプやＬＥＤ、音声を出力するスピーカなどが設けられている。
【００２８】
また、前面枠本体１３０に軸着されたクリア部材保持枠１４０の開放端側となる前面側から見て右側の端部の前面には、施錠装置の一部をなす鍵穴１４３が形成されている。この鍵穴１４３は、前面枠本体１３０の施錠装置の一部であるとともに、クリア部材保持枠１４０の施錠装置の一部でもあって、鍵穴１４３に鍵を入れて一方（例えば左回り）に回すと前面枠本体１３０の施錠が解除され、他方（例えば右回り）に回すとクリア部材保持枠１４０の施錠が解除されるようになっている。
【００２９】
また、前面枠本体１３０の前面側のクリア部材保持枠１４０の下側には、発射操作ユニット１５０が取り付けられている。発射操作ユニット１５０は、左右側部のうちの一側部となる左側部を前面枠本体１３０に軸着されて、左右方向に回動して開閉自在な開閉パネル１５１とその下の下部パネル１５２とからなる。開閉パネル１５１は、排出された遊技球を貯留するとともに、遊技球を発射する発射装置（図示略）に遊技球を送る上皿１５３を有している。この上皿１５３の周囲には、遊技者が操作可能な演出用ボタン１５５が設けられている。また、開閉パネル１５１の下側の下部パネル１５２には、上皿１５３に収容しきれない遊技球を収容する下皿１５４及び灰皿と、第１遊技領域１ａに向けての遊技球の発射操作を行うとともに、該第１遊技領域１ａに遊技球を発射する際の発射勢を調節するための操作ハンドル１５６、音声を出力するスピーカ１５７などが設けられている。
【００３０】
また、図３に示すように、前面枠本体１３０の裏面側であって、遊技盤１が嵌め込まれた開口部１３１の上端部から中央より少し下側にわたる部分には、前面枠本体１３０の裏面側を覆うように裏機構枠１６０が配置されている。裏機構枠１６０の前面の左端部は、前面枠本体１３０の裏面であって遊技機１００の裏面側から見て右側の側部に回動可能に軸支されて扉状に開閉自在とされ、裏機構枠１６０を開くことにより、遊技盤１の裏面側の上部を開放可能となっている。なお、裏機構枠１６０と前面枠本体１３０の連結部分は着脱自在であって、前面枠本体１３０、裏機構枠１６０はそれぞれユニット単位で交換やメンテナンスが可能となっている。
【００３１】
また、前面枠本体１３０の裏面側であって遊技盤１が嵌め込まれた開口部１３１の下方には、排出装置１９０による賞球の排出、発射装置による遊技球の発射を制御する排出発射制御装置３４、遊技機１００内の各装置に電力を供給する電源回路としての電源供給装置３７が取り付けられている。
その他、前面枠本体１３０には、各部材の取付位置に各部材を取り付けるための構造が設けられており、例えば、取り付けられた部材を囲むように補強用のリブが形成されていたり、ビス等による部材の取り付けのためのボス等が形成されている。
【００３２】
図１，４に示すように、前面枠本体１３０の開口部１３１に嵌め込まれる遊技盤１は、遊技盤本体１ｂと、遊技盤本体１ｂの裏面側に配される遊技盤裏面構成部材８０とを備える。遊技盤本体１ｂは透明な合成樹脂（例えば、ポリカーボネートやアクリル）からなり、前面には、遊技領域区画壁９で囲まれた第１遊技領域１ａを有し、この第１遊技領域１ａ内に発射装置（図示略）から遊技球（打球；遊技媒体）を発射して遊技を行うようになっている。
【００３３】
遊技盤本体１ｂの前面側には、第１遊技領域１ａを区画する遊技領域区画壁９を備える遊技領域区画部材８，８，…が取り付けられている。この遊技領域区画部材８，８，…は所定の厚みを有し、遊技盤本体１ｂの前面の四隅に配されて第１遊技領域１ａを区画するものであって、遊技盤１の中心側に配される側面が第１遊技領域１ａを区画する遊技領域区画壁９をなしている。また、遊技領域区画部材８，８，…は不透明な材質からなり、第１遊技領域１ａ以外から遊技機１００の内部が見えないようになっている。
【００３４】
さらに、遊技盤本体１ｂの四隅に配された遊技領域区画部材８，８，…には、遊技盤１を前面枠本体１３０に形成された開口部１３１に対して着脱可能とする係合凹部８ｂ、固定凹部８ｃが形成されている。前面側から見て左側の上下にある遊技領域区画部材８，８には、前面枠本体１３０に設けられた係合部材１３２，１３２が係合可能な係合凹部８ｂが形成され、遊技盤１の前面側から見て右側の上下にある遊技領域区画部材８，８には、前面枠本体１３０に設けられた固定部が係合可能な固定凹部８ｃが形成されている。そして、前面枠本体１３０に形成された開口部１３１に対して、前面側から係合凹部８ｂ，８ｂを係合部材１３２，１３２に係合させ、この係合部分を軸として他端部を後方に回動させて開口部１３１に収容し、固定凹部８ｃ，８ｃに固定部１３３，１３３を係合させることで遊技盤１が前面枠本体１３０に固定されるようになっている。
【００３５】
遊技盤１を構成する遊技盤本体１ｂの前面側に形成された第１遊技領域１ａ内には、遊技盤１の装飾や遊技球を流下案内する遊技装置として、普図始動ゲート６、始動入賞口１０および普通変動入賞装置３、特別変動入賞装置４が設けられている。さらに遊技装置として、一般入賞口形成部材１４，１４に設けられた一般入賞口２，２、風車と呼ばれる打球方向変換部材１１，１１、多数の障害釘（図示略）、流下方向規制装置７、入賞口などに入賞しなかった遊技球を回収するアウト口５、ランプ・ＬＥＤなどの遊技盤装飾装置などが設けられている。また、遊技盤本体１ｂの裏面側には、遊技球が流下可能な後述する第２遊技領域２０が設けられ、第１遊技領域１ａには遊技装置として、この第２遊技領域２０への導入口をなすワープ入口１２，１２、第２遊技領域２０からの導出口１３が設けられている。
【００３６】
普図始動ゲート６は遊技球が上下に通過可能なゲートであり、その内部には遊技球の通過を検出するゲートセンサ６ａ（図４に図示）が設けられている。そして、該ゲートセンサ６ａで遊技球が検出されることに基づき普図変動表示ゲームの始動条件が成立するようになっている。また、普図変動表示ゲームは、遊技盤１の前面側に設けられた図示しない普図変動表示器にて表示されるようになっている。さらに、遊技盤１の前面側には、未処理となっている第１普図変動表示ゲームの回数をＬＥＤの点滅で表示する図示しない普図始動記憶表示器が設けられている。
【００３７】
始動入賞口１０および普通変動入賞装置３は第１遊技領域１ａの下部にあって、その内部には遊技球の流入を検出する始動口センサが設けられている。この始動入賞口１０および普通変動入賞装置３は、特図始動入賞口であって、始動口センサで遊技球が検出されることに基づき特図変動表示ゲームの始動条件が成立するようになっている。この特図変動表示ゲームは、遊技盤１の前面側に設けられた図示しない特図変動表示器にて表示されるようになっている。また、遊技盤１の前面側には、未処理となっている特図変動表示ゲームの回数をＬＥＤの点滅で表示する図示しない特図始動記憶表示器が設けられている。
【００３８】
普通変動入賞装置３は左右一対の開閉部材３ａ，３ａを具備し、始動入賞口１０の下部に配設され、この開閉部材３ａ，３ａは、常時は遊技球が流入不能な閉じた状態（遊技者にとって不利な状態）を保持しているが、普図変動表示ゲームの結果が所定の停止表示態様（例えば、「７」）となった場合には、普図の当たりとなって、普通変動入賞装置３の開閉部材３ａ，３ａが所定時間（例えば、０.５秒間）逆「ハ」の字状に開いて普通変動入賞装置３に遊技球が流入し易い状態（遊技者にとって有利な状態）に変化されるようになっている。これにより、特図変動表示ゲームの始動が容易となる。
【００３９】
また、特図変動表示ゲームは、第１遊技領域１ａ内に設けられた特図変動表示器で実行されるが、ここで実行される特図変動表示ゲームに対応する表示ゲームが後述する表示ユニット１７０の画像表示面１７１に表示されるようになっている。この特図変動表示ゲームに対応した表示ゲームの表示領域は、遊技盤本体１ｂの裏面側に配された表示領域区画壁６４，９２、役物装置４０によって区画された領域であって、透明な材質からなる遊技盤本体１ｂを通して、その裏面側に配された表示ユニット１７０の画像表示面１７１を視認可能な領域となっている。なお、遊技機１００に特図変動表示器を備えずに、表示ユニット１７０のみで特図変動表示ゲームを実行するようにしても良い。そして、特図変動表示ゲームの結果として、特図変動表示器の表示態様が特別結果態様（たとえば「７」）となった場合には、大当たりとなって特別遊技状態（いわゆる、大当たり状態）となる。また、これに対応して画像表示面１７１における表示ゲームの表示態様も特別結果態様（例えば、「７，７，７」等のゾロ目数字の何れか）となる。
【００４０】
特別変動入賞装置４は、上端側が手前側に倒れる方向に回動して開放可能になっているアタッカ形式の開閉扉４ａによって開閉される大入賞口を備えていて、特別遊技状態中は、大入賞口を閉じた状態から開いた状態に変換することにより大入賞口内への遊技球の流入を容易にさせる。なお、開閉扉４ａは、ソレノイド（大入賞口ＳＯＬ）により駆動される。また、大入賞口の内部（入賞領域）には、該大入賞口に入った遊技球を検出するための大入賞口用センサ（カウントセンサ）が配設されている。
【００４１】
一般入賞口形成部材１４，１４は、第１遊技領域１ａの下部に位置する遊技領域区画壁９に沿って配されており、前面側には一般入賞口２，２が形成されている。また、この一般入賞口２，２には、一般入賞口２，２に入った遊技球を検出するための一般入賞口センサが配設されている。また、一般入賞口形成部材１４，１４は、遊技に関連した装飾が施されて一部が光を透過可能に構成されているとともにＬＥＤなどを備えており、遊技盤１の装飾を行う遊技盤装飾装置の一部をなしている。
【００４２】
そして、遊技を開始することにより第１遊技領域１ａ内に打ち込まれた遊技球が、一般入賞口２，２、特図始動入賞口（始動入賞口１０、普通変動入賞装置３）、大入賞口（特別変動入賞装置４）等の入賞口の何れかに入賞すると、それぞれの入賞口に対応した所定数の賞球としての遊技球が排出発射制御装置３４（排出発射制御基板）の制御により排出装置１９０によって上皿１５３に排出される（払い出される）ようになっている。
【００４３】
また、流下方向規制装置７は、第１遊技領域１ａとなる遊技盤本体１ｂの前面に突出するように取り付けられている。この流下方向規制装置７は透光性を有する材質からなる部材で、鎧部７ａとその両端に接続した案内部７ｂ，７ｂとから略コ字状に形成されていて、コ字状の開口部分が下側を向くように第１遊技領域１ａの中央部に配され、第１遊技領域１ａの中央部分を区画するようになっている。これによって、第１遊技領域１ａに発射されて流下する遊技球が第１遊技領域１ａの左右に振り分けられ、第１遊技領域１ａの中央部分における画像表示面１７１の視認性が保たれるようになっている。
【００４４】
この流下方向規制装置７の鎧部７ａは、第１遊技領域１ａの中央部分に対して上側に配されて上方に突出するような円弧状をしており、その上面が中央から左右に下るような傾斜面とされている。このように上面が円弧状となっていることで、第１遊技領域１ａの上方に発射され、流下する遊技球を傾斜に沿って左右に振り分けることができるようになっている。
【００４５】
また、鎧部７ａの端部に連続した案内部７ｂ，７ｂは、第１遊技領域１ａの中央部分に対して左右に配されて下方に向かって延在するようになっている。この案内部７ｂ，７ｂは、鎧部７ａで左右に振り分けられた遊技球が中央部分へ戻らないように下方へ案内するものである。また、この案内部７ｂ，７ｂの下端部にはワープ流路への入口となるワープ入口１２，１２が、流下方向規制装置７の外側（案内部７ｂと、対向する遊技領域区画壁９との間）を流下する遊技球を受け入れ可能に形成されている。また、遊技盤本体１ｂにおけるワープ入口１２，１２が配される部分には、前後に貫通したワープ孔が形成され、ワープ入口１２，１２から流入した遊技球を、遊技盤本体１ｂの裏面側に形成された後述する第２遊技領域２０へ誘導可能とされている。
【００４６】
また、第１遊技領域１ａにおける始動入賞口１０の上側には、後述する第２遊技領域２０からの導出口１３が形成されている。この導出口１３は、遊技盤本体１ｂに形成された前後に貫通した導出孔に導出口形成部材２３を取り付けることで構成されている。この導出口形成部材２３は、遊技盤本体１ｂと略同じ厚みを有し、導出孔に嵌め込まれる部分に導出口１３を形成する筒状の開口２３ａが形成されている。この筒状の開口２３ａの内周面における下側の面（導出口１３の底面）は、後方に配される後述するステージ部材２１の形状に合わせた曲面とされているとともに前側に傾斜するようにされており、ステージ２１ａから前側に誘導された遊技球を第１遊技領域１ａに誘導可能とされている。また、この曲面とされた遊技球が転動する下側の面の下方には、ステージ２１ａの下方に前後方向に沿って延在するように形成された球誘導路２２の下流側端部が形成されている。導出口形成部材の前端部に位置する球誘導路２２の下流側端部は、始動入賞口１０の直上に位置するようになっており、ここを流下した遊技球は高い確率で始動入賞口１０に流入するようになっている。
【００４７】
図４に示すように、遊技盤１を構成する遊技盤本体１ｂの裏面側には、遊技盤裏面構成部材８０が取り付けられている。この遊技盤裏面構成部材８０は、上部カバー部材８１、下部カバー部材８２、側部カバー部材８４とから遊技盤本体１ｂの周囲に沿う矩形状に形成され、不透明又は半透明とされた合成樹脂（例えば、ポリカーボネートやＡＢＳ）からなる。この遊技盤裏面構成部材８０の略中央部には、遊技盤本体１ｂに形成された第１遊技領域１ａの大部分と重なるように略矩形状の視認開口８７が形成されている。
【００４８】
上部カバー部材８１は、遊技盤本体１ｂの裏面における上側部分を覆う板状の部材で、左右及び上側の周縁が遊技盤本体１ｂの上側部分における外周に沿うような形状をしている。また、下側の周縁は、遊技盤本体１ｂの前面側に形成された第１遊技領域１ａの周縁をなす遊技領域区画壁９に略沿うように湾曲した形状とされている。この上部カバー部材８１の裏面側には役物装置４０が取り付けられている。すなわち、上部カバー部材８１は役物装置４０の取り付けベースをなす。
【００４９】
役物装置４０はその大部分が、上部カバー部材８１の下側の周縁よりも下側に配されるようになっていて、その前面は遊技盤１の前面側から遊技盤本体１ｂを透して視認可能となっており、この前面には、例えば機種名や装飾図柄などが描かれ、装飾が施された前面装飾部材４１が配されている。なお、図４に示す役物装置４０は、内部の機構が見えるように後方のカバーをはずした状態としている。
【００５０】
この役物装置４０は、内部に可動部材４２と、この可動部材４２を駆動する駆動源としてのモータ４３が設けられている。可動部材４２は、前後方向に沿って延在する回動軸４４に回動可能に軸支されており、この回動軸を挟んで一端には演出部材４５を備え、他端にはモータ４３の駆動力が伝達されるようになっている。また、可動部材４２は、図示しない付勢部材によって演出部材４５が取り付けられた側が上方向へ向けて付勢されており、外部から力が加わっていない状態では図４に示すように、演出部材４５が前面装飾部材４１により隠蔽された領域に収まるようになっている。
【００５１】
この役物装置４０は遊技盤装飾装置の一部をなすものであって、第１演出制御装置３３が第２演出制御装置３１を介して制御するようになっている。すなわち、遊技の進行に合わせてモータ４３を駆動し、可動部材４２のモータ４３側の端部を上方向に移動させる（裏面側から見て可動部材４２を反時計回り方向に回動させる）ことで演出部材４５を視認開口８７に現出させ、遊技者から視認可能として演出を行うようになっている。また、この状態からモータ４３を逆方向に駆動することで、付勢部材の付勢力により演出部材４５が前面装飾部材４１により隠蔽された領域に戻るようになっている。また、役物装置４０は所定の前後幅を有し、遊技盤１と表示ユニット１７０の間の上部の隙間から遊技機１００の内部が見えないようにする機能も有する。
【００５２】
下部カバー部材８２は、遊技盤本体１ｂの裏面における下側部分を覆う板状の部材で、左右及び下側の周縁が遊技盤本体１ｂの下側部分における外周に沿うような形状をしている。また、上側の周縁は第１遊技領域１ａに設けられた下部役物装置（普通変動入賞装置３、特別変動入賞装置４、一般入賞口形成部材１４，１４）の後部を覆うことができるように、下部役物装置の配設部位における上縁部に沿う形状とされている。この下部カバー部材８２の裏面側には、下部役物装置の後部を覆う下部覆い部材６０が取り付けられるようになっている。すなわち、下部カバー部材８２は下部覆い部材６０の取り付けベースをなす。
【００５３】
下部覆い部材６０はその前面側に、始動入賞口１０、普通変動入賞装置３、特別変動入賞装置４、一般入賞口２，２などに入賞した遊技球を流下させる入賞球流路を備える。この入賞球流路は、遊技機１００の外部（島設備の回収樋）に連通する図示しない流路に接続するようになっている。また、この下部覆い部材６０の裏面側から見て左側の端部は、上下方向に沿って延在する回動軸を備える連結部６２が形成されており、第２演出制御装置３１が左右方向に扉状に回動可能に軸支されるようになっている。
【００５４】
また、下部覆い部材６０は透明な材質からなり、一部がレンズのように加工されていて、裏面側に配されたＬＥＤ基板（図示略）に備えられたＬＥＤからの光を下部役物装置に向けて誘導する機能も有する。さらに、下部覆い部材６０の上部には着色されて半透明とされた板状の表示領域区画壁６４が形成されており、表示領域を区画するとともに、遊技機１００の内部が見えないようにしている。なお、表示領域区画壁６４の形状は、下部覆い部材６０の前面に配された部材に対応した形状（一部が曲面）とされている。また、表示領域区画壁６４の下側には、ＬＥＤ基板６３が表示領域区画壁６４と平行になるように水平に配設されている。そして、このＬＥＤ基板６３の上面に配されたＬＥＤにより表示領域区画壁６４を下側から照らすことで、その光が半透明の表示領域区画壁６４を介して遊技領域を装飾するようになっている。また、下部覆い部材６０の裏面には、配線を中継するための中継基板が備えられている。また、下部覆い部材６０の裏面側には第２演出制御装置３１が取り付けられ、該第２演出制御装置３１の裏面側には遊技制御装置３０が取り付けられている。
【００５５】
第２演出制御装置３１は、画像データなどを記憶したＲＯＭを備える演出データ基板と、遊技盤装飾装置を駆動するための盤装飾ドライバを備えたドライバ基板を備え、遊技制御装置３０の制御の下で演出の制御を行うものである。この第２演出制御装置３１の裏面側には、第１演出制御装置３３のコネクタ部３３ａ（図６に図示）と直接接続するためのコネクタ部（図示略）が露出している。また、第２演出制御装置３１の裏面側には、左右方向に沿って延在する回動軸を備える一対の支持部３１ａ，３１ａが形成されており、遊技制御装置３０を上下方向に扉状に回動可能に軸支するようになっている。また、遊技を制御する遊技制御装置３０を軸支する支持部３１ａ，３１ａの近傍には、遊技制御装置３０が第１演出制御装置３３の裏面に沿って配された状態、すなわち遊技制御装置３０が起立した状態を保持する保持部材（図示略）が設けられている。すなわち、第２演出制御装置３１の裏面は遊技制御装置３０を取り付けるための台座をなす。
【００５６】
すなわち、機種に依存する演出データ基板を備えた第２演出制御装置３１、遊技制御装置３０は遊技盤１に取り付けられ、複数の機種で共通使用可能な第１演出制御装置３３、排出発射制御装置３４、電源供給装置３７は前面枠本体１３０もしくは裏機構枠１６０に取り付けられている。よって、遊技盤１を変更することにより機種に依存する装置（基板）のみが交換され、遊技機１００の遊技内容を変更することが可能である。
【００５７】
側部カバー部材８４は、遊技盤本体１ｂの左右それぞれの側端に沿って取り付けられており、上端部が上部カバー部材８１の下端に接して連続するように配されるとともに、下端部が下部カバー部材８２の上端部に接して連続するように配される。さらに、側部カバー部材８４と一体に表示領域区画壁９２を備える側壁部材９０が取り付けられている。
【００５８】
側壁部材９０は、表示領域を区画する表示領域区画壁９２を備え、該表示領域区画壁９２が遊技盤本体１ｂに対して上下方向に延在するとともに後方へ延出するような向きで配される。なお、左右の表示領域区画壁９２は遊技盤本体１ｂに対して略垂直に配されるが、より詳細には、後方へ向かって間隔が狭くなるように若干斜めに配されるようになっている。
【００５９】
この表示領域区画壁９２は、表示領域区画壁９２を通して遊技機１００の内部が透けて見えない程度の半透明とされており、表示領域区画壁９２の外側を前方から隠蔽するように構成されている。また、表示領域区画壁９２の遊技盤本体１ｂの側端側に配される面には波状の凹凸が形成されており、さらに、表示領域区画壁９２の遊技盤本体１ｂの中央側に配される面には、不透明な装飾用のシールが貼付されるようになっており、表示領域区画壁９２を透して遊技機１００の内部が見えないようになっている。
【００６０】
以上のような構成を有する役物装置４０、表示領域区画壁９２，６４によって、遊技盤本体１ｂの裏面側に前後方向に沿った筒状の空間が形成される。この表示領域区画壁９２，６４および役物装置４０は、遊技盤１の後方に配される後述する表示ユニット１７０の画像表示面１７１に近接するように配され（当接はしない）、特図変動表示ゲームに対応した表示ゲームなどの表示領域を区画するようになっている。すなわち、表示ユニット１７０の画像表示面１７１のうち、表示領域区画壁９２，６４および役物装置４０で囲まれた領域が遊技盤１の前面側から視認可能な表示領域（視認領域）となる。これによって、第１遊技領域１ａの大部分に表示ユニット１７０の画像が表示されることとなる。また後述するように、この遊技盤本体１ｂの裏面側における表示領域区画壁９２，６４および役物装置４０で囲まれた領域の一部が、遊技球が流下可能な第２遊技領域２０とされている。
【００６１】
なお、画像表示面１７１の面積は、遊技盤裏面構成部材８０に形成された視認開口８７よりも広いので、視認開口８７から露出する領域に所定の画像が表示されるように第１演出制御装置３３によって制御されている。また、上述したように、表示領域区画壁９２，６４と役物装置４０は、遊技機１００の内部が見えないようにする機能も有しており、これらで囲まれた視認開口８７の外周部分となる領域は遊技盤１の前面側からは見えないようになっている。
【００６２】
また、上部カバー部材８１、下部カバー部材８２の裏面には、遊技盤本体１ｂの左右端部に沿って配される周縁の近傍に後方へ突出する押圧部８３，８３，…が形成されている。この押圧部８３，８３，…は、遊技盤１の裏面側に配される表示ユニット１７０の前面（表示ユニット１７０の外枠をなす表示ユニットケース１７４の前面）に、その後端部が当接するようになっている。表示ユニット１７０は、後述するように付勢部材としての圧縮コイルばね１８２によって前側に付勢されているので、押圧部８３，８３，…と表示ユニット１７０は密着した状態で保持されるようになっている。
【００６３】
また、押圧部８３，８３，…は、所定の前後幅を有しており、押圧部８３，８３，…が表示ユニット１７０の前面に当接することで、図８（ｂ）（ｃ）に示すように、遊技盤１と表示ユニット１７０は所定の間隔をおいて平行に配され、両者の間に空間部が形成されるようになっている。なお、押圧部８３，８３，…の前後幅は、上述した表示領域区画壁９２の前後幅よりも若干広くされており、押圧部８３，８３，…が表示ユニット１７０の前面に当接することで、表示領域区画壁９２が画像表示面１７１に近接した位置に配されるようになっている。
【００６４】
このように、遊技盤１に対して表示ユニット１７０が所定の間隔をおいて遊技機１００の奥側に配されるので、表示ユニット１７０と遊技者との距離を確保でき、奥行き感を出すことができるとともに、大型の表示ユニット１７０を用いた場合でも、遊技者にとって見やすい構成とすることができる。また、遊技盤側から入り込む外光によって画像表示面１７１における表示が見にくくなることを防止できる。
【００６５】
また、押圧部８３，８３，…は上部カバー部材８１の裏面、下部カバー部材８２の裏面に形成された基部８３ａと、基部８３ａの後端部にねじによって取り付けられた摩擦係数が低い材質（例えば、ポリアセタール、金属）からなる押圧部材８３ｂとを有している。さらに、上部カバー部材８１、下部カバー部材８２の裏面側から見て右側に位置する押圧部８３，８３の基部８３ａには、押圧部材８３ｂに加え、上下方向に沿った軸を中心に回動可能なローラ８３ｃが、外側に位置する角部に取り付け可能とされている。
【００６６】
表示ユニット１７０の前面に当接する押圧部８３，８３，…がこのような構成を有することで、押圧部８３，８３，…が表示ユニット１７０の前面に当接し、押圧した状態で、容易に適切な位置に移動することができるようになっている。
【００６７】
また、遊技盤本体１ｂの裏面側における表示領域区画壁９２，６４および役物装置４０で囲まれた領域内には、遊技装置としてのステージ部材２１が配されている。このステージ部材２１は透光性を有する材質からなる板状の部材であって、左右の端部は表示領域区画壁９２に一部が支持されるとともに近接して配され、後端部は表示領域区画壁９２の後端部と等しい前後位置に配されている。すなわち、このステージ部材２１によって、表示領域区画壁９２，６４および役物装置４０によって形成された前後方向に沿った筒状の空間が上下に区画されるようになっている。そして、遊技盤１の裏面側に表示ユニット１７０が配されることで、表示ユニット１７０と表示領域区画壁９２、ステージ部材２１および役物装置４０によって囲まれた空間である第２遊技領域２０が遊技盤本体１ｂの裏面側に形成される。このように形成される第２遊技領域２０へは、案内部７ｂ，７ｂに形成されたワープ入口１２，１２に流入した遊技球が誘導されるようになっている。
【００６８】
遊技盤本体１ｂの裏面におけるワープ入口１２，１２と対応する位置には、遊技装置としての遊技球流路形成部材をなすワープ流路形成部材２４，２４が配されている。このワープ流路形成部材２４，２４は透光性を有する材質からなる部材で、ワープ入口１２，１２に流入してワープ孔を通って遊技盤本体１ｂの裏面に至った遊技球を、ステージ部材２１の上面に形成されたステージ２１ａ上に誘導するワープ流路が内部に形成されている。このワープ流路は、遊技球を一列で流下可能な筒状の流路であって、その入口となる上流側端部は遊技盤本体１ｂに形成されたワープ孔に接続しており、ここから遊技盤本体１ｂの裏面に沿って遊技盤本体１ｂの側端方向へ屈曲し、出口となる下流側端部はステージ２１ａの側端部の上方に近接した位置に配されるようになっている。これによって、第１遊技領域１ａに開口したワープ入口１２に流入した遊技球は、ワープ流路を通って第２遊技領域２０におけるステージ部材２１の上面に形成されたステージ２１ａ上を遊技盤１の外側に向かって流下するように誘導されることとなる。このように、ワープ流路からステージの側端方向へ遊技球が排出されるので、ステージ２１ａの端から端まで有効に利用できるようになり、ステージ２１ａ上に一度に多数の遊技球を転動させることが可能となる。
【００６９】
ステージ部材２１は、左右両側が中央に向かって下る傾斜面となっているとともに、中央部が上向きに突出した略Ｗ字状に形成されている。そして、このステージ部材２１の上面が、遊技球が転動するステージ２１ａとされ、遊技球が略Ｗ字状の傾斜に沿って左右に転動するようになっている。また、このステージ部材２１の中央部は、遊技盤本体１ｂに形成された導出口１３の後方に位置するように形成されており、ステージ２１ａは、導出口形成部材２３によって形成された導出口１３の底面に連続するようになっている。これによって、ステージ２１ａ上を転動する遊技球は前側へ誘導され、導出口１３から第１遊技領域１ａへ導出されることとなる。
【００７０】
また、ステージ２１ａの左右方向の中央であって、遊技球が転動する面の下側には、遊技球が流下可能な流路である球誘導路２２の後方部分が形成されている。この球誘導路２２は、前後方向に沿って延在するように形成された遊技球が一個流下可能な内径を有する筒状の流路で、前側に向かって下るように傾斜している。この球誘導路２２の上流側端部はステージ２１ａに開口しており、下流側端部は上述したように、導出口形成部材２３の前端部に開口している。
【００７１】
図２，３、５から８に示すように、裏機構枠１６０は、裏機構枠本体１６１と、画像を表示する画像表示装置としての表示ユニット１７０を案内するガイド部１６２とを有し、表示ユニット１７０の他、表示ユニット１７０を制御する第１演出制御装置３３、賞球などを排出する排出装置１９０と排出装置１９０に遊技球を供給する貯留タンク１９２が設けられている。
【００７２】
上述したように、裏機構枠１６０の前から見て左側の端部は、前面枠本体１３０の裏面であって遊技機１００の裏面側から見て右側の側部に回動可能に軸支されており、前面枠本体１３０に形成されて遊技盤１が嵌め込まれる開口部１３１を裏面側から覆って遊技盤１の裏面に臨む状態から、後方に扉状に回動して遊技盤１の裏面側を開放する状態との間で回動可能となっている。すなわち、裏機構枠１６０に表示ユニット１７０が配設されることで、表示ユニット１７０は該裏機構枠１６０を介して前面枠１２０側に配設された状態で遊技盤１の後方位置に配設されることとなる。そして、裏機構枠本体１６１において遊技盤１と平行に配され、遊技盤１の裏面側を覆うように配される部分が後面部１６１ａとなる。
【００７３】
図３，７に示すように、裏機構枠本体１６１は所定の厚みを有し、この裏機構枠本体１６１の前後面に種々の機構体が取り付けられている。裏機構枠本体１６１の前面には、表示ユニット１７０を前側に付勢する付勢部材としての圧縮コイルばね１８２を収納する後側が閉鎖された筒状の付勢部材収納部１８１が形成されている。また、裏機構枠本体１６１の後面部１６１ａの背面には、第１演出制御装置配設部１６５や接続用凹部１８３、流路形成凹部１８４、排出装置配設凹部１８５などの前方に窪んで後方に開口した凹部が形成されており、裏機構枠本体１６１の前面の一部はこれら凹部の裏面によって形成されている。また、裏機構枠本体１６１の前面の周囲には、上下の一部を除いて前側に延出する周囲壁１８７が形成されており、裏機構枠本体１６１の前面側は全体が凹部となっている。
【００７４】
図３に示すように、裏機構枠１６０の後面部１６１ａの背面（裏面）には、前方に窪んで後方に開口した略矩形状の凹部である第１演出制御装置配設部１６５が形成され、ここに第１演出制御装置３３が配設されている。この第１演出制御装置３３はＣＰＵなどを備えた演出制御基板を有し、画像表示装置をなす表示ユニット１７０における液晶表示器の表示を制御する表示制御装置をなすものである。
【００７５】
また、第１演出制御装置３３の上下幅は、第１演出制御装置配設部１６５の上下幅よりも広く、第１演出制御装置配設部１６５に第１演出制御装置３３を収容すると、第１演出制御装置３３の下部が第１演出制御装置配設部１６５の下方に形成された開口部１６３に延出するようになっている。そして、図６に示すように、第１演出制御装置３３の前面側であって開口部１６３に延出する部分からはコネクタ部３３ａが外側に露出している。
【００７６】
図４に示すように、遊技盤１の裏面には第２演出制御装置３１が取り付けられており、この第２演出制御装置３１の裏面にはコネクタ部（図示略）が外部（後方）に露出している。そして、この第２演出制御装置３１のコネクタ部と第１演出制御装置３３のコネクタ部３３ａは、互いに対向するように配され、第２演出制御装置３１と第１演出制御装置３３が直接接続できるようになっている。
【００７７】
また、図３に示すように、後面部１６１ａの背面であって、裏機構枠１６０の裏面側から見て、第１演出制御装置配設部１６５の右側には、第１演出制御装置３３と他の装置等を接続する配線を収納する接続用凹部１８３が形成されている。この接続用凹部１８３の上半部はカバー部材１６６によって覆われ、下半部は遊技制御装置３０によって覆われるようになっている。このように配線を接続用凹部１８３内に収納し、接続用凹部１８３の開口部分をカバー部材１６６および遊技制御装置３０で覆って閉鎖することにより、配線が露出してばらけてしまうことを防止することができる。
【００７８】
裏機構枠本体１６１の上面には、遊技機１００が設置される図示しない島設備に設けられた供給装置から供給される遊技球を一時貯留し、排出装置１９０に供給する貯留タンク１９２が取り付けられるようになっている。
【００７９】
貯留タンク１９２の底面は、裏機構枠本体１６１の後方に向かって下るとともに、裏機構枠本体１６１の裏面側から見て左方向に下る傾斜を有しており、この傾斜下流側に位置する貯留タンク１９２の底面には、貯留タンク１９２内の遊技球を外部に排出する排出口（図示略）が形成されている。
【００８０】
貯留タンク１９２の排出口は後面部１６１ａの背面に位置しており、後面部１６１ａの背面に形成された流路形成凹部１８４には、この排出口に連通した導出流路を形成する導出流路形成部材１９５，１９６が取り付けられている。この導出流路は、排出口から排出された遊技球を裏機構枠１６０の右端部へ誘導するとともに、裏機構枠１６０の右端部においてさらに下方へ誘導するように形成されており、その下流側端部は裏機構枠１６０の裏面に設けられた排出装置１９０に接続している。
【００８１】
排出装置１９０は、裏機構枠本体１６１の裏面側から見た右端部における上下方向の略中央に形成された排出装置配設凹部１８５に取り付けられている。この排出装置１９０は、上部に導出流路に接続する遊技球を受け入れる流入口を、下部に下部流路に接続する遊技球を排出する排出口を備えており、排出発射制御装置３４が遊技制御装置３０の制御の下で排出装置１９０を作動させることで、所定数の遊技球を下部流路に排出するようになっている。
【００８２】
排出装置１９０の排出口に接続した下部流路は、裏機構枠１６０の裏面側から見た右端に沿って取り付けられた下部流路形成部材１９７によって形成されており、排出装置１９０から排出された遊技球を下方に誘導するようになっている。この下部流路の下流側端部は、発射操作ユニット１５０の前面に形成された上皿１５３に連通しており、排出装置１９０から排出された所定数の遊技球が上皿１５３に排出されるようになっている。なお、貯留タンク１９２の排出口から排出装置１９０に至る導出流路内には、常に遊技球が待機している状態となっており、排出装置１９０によって導出流路内の遊技球が排出されることに伴って貯留タンク１９２から流路に遊技球が流入するようになっている。
【００８３】
図２，５から７に示すように、裏機構枠１６０の前面側は、全体が前側に開口した凹部となっており、ここに表示ユニット１７０が収容されている。
図７に示すように、裏機構枠本体１６１の前面であって上部には、左右の周囲壁１８７に隣接して、所定の左右幅を有する下側に開口した溝状の凹部１６９ａ，１６９ａが形成されている。この所定の左右幅とは、後述する表示ユニット１７０の上部に形成された被案内部１７６の左右幅より若干広い幅であり、この部分が被案内部１７６を前後方向に案内する案内部１６９（図５，６に一部を図示）の一部をなす。
【００８４】
また、上述した溝状の凹部１６９ａ，１６９ａと上下に対向するように、裏機構枠本体１６１の前面であって下部には、左右の周囲壁１８７に隣接して、所定の左右幅を有する上側に開口した溝状の凹部１６９ａ，１６９ａが形成されている。この溝状の凹部１６９ａ，１６９ａの所定の左右幅は、後述する表示ユニット１７０の下部に形成された被案内部１７６の左右幅より若干広い幅であり、この部分も被案内部１７６を前後方向に案内する案内部１６９の一部をなす。
【００８５】
付勢部材収納部１８１は、表示ユニット１７０を前方向へ付勢する付勢部材としての圧縮コイルばね１８２を収容する部分である。この付勢部材収納部１８１は、圧縮コイルばね１８２の外径と略同じ内径を有する円筒形の凹部で、裏機構枠本体１６１の左右方向の中心に沿って上下に２つ設けられている。
【００８６】
また、この裏機構枠本体１６１の前側には、それぞれコ字状のガイド部１６２，１６２が左右の側面を前側に延長するように取り付けられている。裏機構枠１６０の前面側から見て左側に設けられたガイド部１６２には、上下に軸受け部１６２ａ，１６２ａが形成されており、前面枠本体１３０の裏面側に設けられた上下方向に延在する回動軸（図示略）を軸受け部１６２ａ，１６２ａに回動可能に嵌合することで、裏機構枠１６０が前面枠本体１３０に対して回動可能に軸支されるようになっている。また、裏機構枠１６０の前面側から見て右側に設けられたガイド部１６２には、上下にねじ穴１６２ｄ，１６２ｄが形成されており、裏機構枠１６０を遊技盤１の裏面に配した状態（裏機構枠１６０を閉じた状態）で、ねじ穴１６２ｄ，１６２ｄにねじを挿通し、前面枠本体１３０に形成された図示しないねじ止め部に螺合することで裏機構枠１６０が固定されるようになっている。
【００８７】
そして、後面部１６１ａおよび周囲壁１８７、ガイド部１６２，１６２、貯留タンク１９２によって、所定の奥行きを有するとともに前面側（遊技盤１の裏面に臨む側）に開口した略矩形凹室形状の空間（少なくとも背面と左右側面とを囲まれた空間）が形成され、この空間が表示ユニット１７０を収納する表示ユニット収納部１６８となる。すなわち、ガイド部１６２，１６２は裏機構枠本体１６１における後面部１６１ａの左右端部の各々に設けられ、周囲壁１８７とともに表示ユニット収納部１６８の側面部をなす。
【００８８】
このようなガイド部１６２，１６２は、左右の周囲壁１８７，１８７から裏機構枠本体１６１の中央側へ向かう所定範囲と、裏機構枠本体１６１の前面側における左右端部の上下に形成された溝状の凹部１６９ａ，１６９ａ，…の前側を覆うように取り付けられる。そして、裏機構枠本体１６１の上下に形成された溝状の凹部１６９ａ，１６９ａ，…と対向するように配される部分には、裏機構枠本体１６１に形成された溝状の凹部１６９ａ，１６９ａ，…と同じ形状をした溝状の凹部（図示略）が形成されている。
【００８９】
そして、ガイド部１６２，１６２を裏機構枠本体１６１に取り付けることによって、溝状の凹部が裏機構枠本体１６１の上下に形成された溝状の凹部１６９ａ，１６９ａ，…と連続する。これにより、上下にそれぞれ対向するように、ガイド部１６２，１６２から裏機構枠本体１６１にかけて前後方向に沿って延在する溝状の凹部である案内部１６９，１６９，…が形成される。すなわち、裏機構枠本体１６１とその前側に配されたガイド部１６２，１６２により形成される表示ユニット収納部１６８における上下の内側面の左右に、表示ユニット１７０の上下の側部にそれぞれ設けられるとともに前記上下の側部の左端部及び右端部の合わせて４カ所から外側（上側もしくは下側）に突出する後述の被案内部１７６，１７６，…を前後に移動自在に案内する概略溝状の案内部１６９，１６９，…が設けられることとなる。
【００９０】
また、この溝状の案内部１６９，１６９，…のうち、裏機構枠１６０の下側に形成された案内部１６９，１６９には、底面を形成する矩形板状のレール部材１６７が配されている。このレール部材１６７の表面は摩擦係数が低い材質（例えば、ポリアセタール、金属）からなり、案内部１６９の前後左右幅に等しい前後左右幅を有する。また、レール部材１６７は所定の厚みを有し、表示ユニット１７０の荷重がかかっても撓まない程度の強度を有する。このレール部材１６７によって、裏機構枠本体１６１とガイド部１６２によって形成される案内部１６９の底面に段差が生じることがなく、さらには、摩擦係数が低い材質からなることから、表示ユニット１７０を滑らかに移動させることが可能となる。
【００９１】
以上のように形成される表示ユニット収納部１６８には、画像表示面１７１が前側（開口した側）となるように表示ユニット１７０が配設されており、図２に示すように裏機構枠１６０を遊技盤１の裏面に臨むように配することで、遊技盤１の裏面側に表示ユニット１７０の画像表示面１７１が臨むようになっている。また、このとき、遊技盤１の裏面上部に配された役物装置４０の一部が、この表示ユニット収納部１６８に収納されることとなる。
【００９２】
以上のことから、遊技盤１の裏面であって表示ユニット収納部１６８と対向する位置に、遊技盤前方から視認可能で前方に備えられる前面装飾部材４１と、前面装飾部材４１の後方に設けられた可動部材４２と、前面装飾部材４１の後方に設けられ可動部材４２を駆動する駆動源（モータ４３）と、を備え、駆動源を動作することで、可動部材４２を前面装飾部材４１で隠蔽された位置から遊技者に視認可能な位置に現出させるようにした役物装置４０を設け、役物装置４０は表示ユニット収納部１６８に収納されることとなる。
【００９３】
また、表示ユニット収納部１６８の上部であって、前面側から見て左側の端部には、表示ユニット収納部１６８にこもる熱を外部に放出するための放熱手段２００が設けられている。なお、この放熱手段２００の詳細については後述する。
【００９４】
表示ユニット１７０は、前面側が開口した矩形箱状（額縁状）に形成された金属製の表示ユニットケース１７４と、この矩形箱状の表示ユニットケース１７４に収容された液晶表示パネル１７５（液晶表示器、バックライトを含む）とを有する。そして、表示ユニットケース１７４の前面側から液晶表示パネル１７５の画像表示面１７１を有する前面が露出している。
【００９５】
表示ユニットケース１７４の上下の側部であって、左端部及び右端部の合わせて４ヶ所からは、側部に対して垂直に外側に突出する被案内部１７６，１７６，…が設けられている。この被案内部１７６は、摩擦係数が低い材質（例えば、ポリアセタール、金属）からなる被案内部材を、表示ユニットケース１７４の上下部（上下面の左右両端）に固定することで形成されている。また、表示ユニット１７０の下面に設けられた被案内部１７６，１７６は、その下部に滑動体として左右方向に沿った回転軸を有するローラを備えている。
【００９６】
そして、表示ユニット収納部１６８には、この被案内部１７６，１７６，…と対応する位置に前後に延在する溝状の案内部１６９，１６９，…が形成されており、表示ユニット１７０が表示ユニット収納部１６８内において前後動自在に配されることとなる。ここで、被案内部１７６，１７６，…は摩擦係数の低い材質からなり、案内部１６９，１６９，…との間の摩擦抵抗が軽減されるようになっている。また、表示ユニット１７０の下面に設けられた被案内部１７６，１７６は、その下部に滑動体として左右方向に沿った回転軸を有するローラを備えており、さらに、このローラが接する下側の案内部１６９，１６９の底面にはレール部材１６７が配設されている。よって、案内部１６９，１６９，…に対して摩擦係数が低い材質からなる被案内部１７６，１７６，…もしくは回転可能なローラが当接することとなり、さらに、ローラは平滑なレール部材１６７上を移動することから、被案内部と案内部１６９，１６９，…との間の摩擦抵抗が軽減され、表示ユニット１７０が表示ユニット収納部１６８内で円滑に前後移動可能となる。すなわち、表示ユニット収納部１６８は、表示ユニット１７０をスライド可能なスライド空間をなす。
【００９７】
表示ユニットケース１７４の裏面には、表示ユニットケース１７４に収納される液晶表示パネル１７５と、裏機構枠１６０の裏面側に配される第１演出制御装置３３とを接続する配線を通すための、前後に貫通した図示しない配線用開口が形成されている。この配線用開口は、液晶表示パネル１７５の裏面側に設けられたコネクタ部の位置に対応して形成されており、液晶表示パネル１７５を表示ユニットケース１７４に収納すると、この配線用開口からコネクタ部が露出するようになっている。なお、この配線用開口が形成された位置は、表示ユニット１７０を表示ユニット収納部１６８に収納した際に、後面部１６１ａに形成された第１演出制御装置配設部１６５に対応する位置となっており、第１演出制御装置配設部１６５にもこれに対応して配線を挿通する配線用開口１６５ａが形成されている。
【００９８】
また、表示ユニットケース１７４の裏面には、付勢部材としての圧縮コイルばね１８２を取り付けるための取付部（図示略）が形成されている。このガイド部が形成された位置は、表示ユニット１７０を裏機構枠１６０に配した際に、裏機構枠本体１６１に形成された付勢部材収納部１８１と対向する位置となっている。そして、図７に示すように、表示ユニット１７０と裏機構枠本体１６１の間に配される圧縮コイルばね１８２は、一端が裏機構枠本体１６１に形成された付勢部材収納部１８１に収納され、他端が表示ユニット１７０の後方に形成されたガイド部に接続するように配されている。
【００９９】
ここで、付勢部材収納部１８１，１８１、ガイド部は上下に並んで二つ設けられているが、本実施形態においては、圧縮コイルばね１８２を上側の付勢部材収納部１８１、ガイド部にのみ取り付けるようにしている。なお、圧縮コイルばね１８２を下側の付勢部材収納部１８１、ガイド部にのみ取り付けるようにしても良いし、上下両方の付勢部材収納部１８１，１８１、ガイド部に取り付けるようにしても良い。
【０１００】
液晶表示パネル１７５は、矩形板状であって表示ユニットケース１７４にちょうど収まる大きさとなっている。この液晶表示パネル１７５は、液晶表示器とバックライトなどから構成され、液晶表示器の画像表示面１７１が、前側に臨むように配されている。
【０１０１】
液晶表示器の画像表示面１７１の面積は、前面枠本体１３０に形成された開口部１３１に嵌め込まれた遊技盤１の大部分を裏面側から覆うことができる面積となっており、上述した遊技盤裏面構成部材８０に形成された、遊技盤本体１ｂを透して後方を視認可能な視認開口８７（図４に図示）よりも広いものである。すなわち、画像表示面１７１の面積が、少なくとも遊技盤裏面構成部材８０に形成された視認開口８７よりも広く、遊技盤裏面構成部材８０に形成された視認開口８７の大きさが変化してもそれに対応できるようになっている。このように、液晶表示器の画像表示面１７１が遊技盤１の裏面側を幅広く覆うようにすることで、遊技盤１を交換して遊技機１００の遊技内容を変更する場合に、多種の遊技盤１に対応できるようになっている。
【０１０２】
また、液晶表示器は、画像表示面１７１の面積が遊技盤裏面構成部材８０に形成された視認開口８７よりも広いので、遊技盤裏面構成部材８０に形成された視認開口８７から露出する領域に所定の画像が表示されるように第１演出制御装置３３によって制御されている。この画像表示領域を決定する遊技盤１の遊技盤裏面構成部材８０に形成された視認開口８７の大きさや位置に関する初期情報や、変動表示ゲームの画像に関する情報は第２演出制御装置３１の演出データ基板に記憶されているが、第２演出制御装置３１は遊技盤１に取り付けられており、遊技盤１と一緒に第２演出制御装置３１も交換される。よって、遊技盤１の交換に伴い、例えば、これまでの遊技盤に対応した画像表示領域から、新たな遊技盤１に対応した画像表示領域に変更できるようになっている。
【０１０３】
また、表示ユニット収納部１６８の上下幅および左右幅は、表示ユニット１７０の上下幅および左右幅よりも大きくなっており、表示ユニット１７０の周囲に空間があいた状態とされる。これによって、表示ユニット１７０の前後方向への移動が容易になるとともに、表示ユニット１７０が表示ユニット収納部１６８内で僅かに傾斜した状態（遊技盤１の左右方向と非平行状態）になることも可能となる。なお、溝状の凹部となった案内部１６９，１６９，…内に被案内部１７６，１７６，…が収納された状態となっているので、表示ユニット１７０が非平行状態になっても被案内部１７６，１７６，…が案内部１６９，１６９，…から脱落することがない。
【０１０４】
また、表示ユニット１７０は、圧縮コイルばね１８２により前方側に向かって付勢された状態となっており、裏機構枠１６０を開放した状態あるいは、遊技盤１を前面枠１２０から取り外した状態では、前後の移動範囲の最も前側の位置に配される。
【０１０５】
なお、遊技盤１が装着されて裏機構枠１６０を閉じた状態においては、遊技盤裏面構成部材８０の裏面に設けられて後方に突出する押圧部８３，８３，…が、表示ユニット１７０の前後方向の移動範囲における最も前側の位置より後方に位置するようになっている。よって、押圧部８３の後端部にある押圧部材８３ｂが表示ユニット１７０の前面に密着し、表示ユニット１７０は遊技盤裏面構成部材８０の裏面から押圧部８３，８３，…の突出幅の分だけ後方側へ隔離した位置に配されるようになっている。以上のような構成によって、液晶表示器を備えた表示ユニット１７０は、裏機構枠１６０に前後移動可能に保持されることとなる。
【０１０６】
なお、遊技盤１は、前面枠１２０に対して前側から取り付ける構成としたが、遊技盤１を前面枠１２０に後側から取り付ける（或いはサイドからスライド挿入する）構成としても良い。この場合は、前面枠１２０に遊技盤１を装着した後に裏機構枠１６０を閉鎖することとなり、この際に表示ユニット１７０が後方へ押圧される。また、本実施形態のように遊技盤１を前側から取り付ける構成であっても、メンテナンス等の場合に裏機構枠１６０を開放した場合は、再び裏機構枠１６０を閉鎖する際に表示ユニット１７０が後方へ押圧される。
【０１０７】
また、裏機構枠１６０を開閉可能としたが、遊技盤１を前側から取り付ける構成の場合は、開閉できない裏機構枠１６０であっても良い。また、裏機構枠１６０を別途設けずに、前面枠本体１３０の裏面側に表示ユニット１７０を前後動可能に配するようにしても良い。
【０１０８】
また、遊技盤１は透明な合成樹脂からなるとしたが、少なくとも視認開口８７が設定される部分が透明であれば良く、遊技盤１の全てが透明であっても良いし、一部が透明であっても良い。
【０１０９】
次に、図５から８を参照して、裏機構枠１６０に設けられた放熱手段２００について説明する。上述したように、裏機構枠１６０を前面枠本体１３０に対して閉鎖した状態で、前面枠本体１３０に遊技盤１を取り付けると、図８（ｂ）に示すように、表示ユニット収納部１６８の周面を形成するガイド部１６２，１６２、貯留タンク１９２の前端が遊技盤１の裏面に近接して配されるようになっている。すなわち、表示ユニット収納部１６８の前側の開口は遊技盤１の裏面によって略閉鎖された状態となる。
【０１１０】
また、遊技盤１の裏面側に設けられた後方に突出する押圧部８３，８３，…が表示ユニット１７０の前面に当接することで、遊技盤１と表示ユニット１７０は所定の間隔をおいて平行に配されるようになっている。遊技盤１の裏面側には、役物装置４０、表示領域区画壁９２，６４によって、前後方向に沿った筒状の空間が形成されており、これらの表示領域区画壁９２，６４および役物装置４０は、表示ユニット収納部１６８に収納された状態で、その後端部が表示ユニット１７０の画像表示面１７１に近接するように配されることとなる。すなわち、役物装置４０、表示領域区画壁９２，６４によって遊技盤１の裏面に形成され、表示ユニット収納部１６８内に位置する筒状の空間の後側の開口は、表示ユニット１７０によって略閉鎖された状態となる。また、表示ユニット１７０は表示ユニット収納部１６８に収納されているので、その後方は裏機構枠１６０で閉鎖されていることとなる。よって、遊技盤１の裏面側においては、略密閉された表示ユニット収納部１６８内に、略密閉された筒状の空間が形成されていることなる。
【０１１１】
このように、略密閉された表示ユニット収納部１６８に、表示ユニット１７０や役物装置４０などの電気的機器を収納すると、これらから発生する熱がこもり、様々な不具合を発生する原因となる。そこで、この表示ユニット収納部１６８にこもる熱を外部に放出する放熱手段２００を裏機構枠１６０に設けている。
【０１１２】
放熱手段２００は、図７に示すように、裏機構枠１６０の前面側から見て左側に取り付けられるガイド部１６２における、裏機構枠本体１６１の上部に沿って配される部分に設けられることで、図５，６に示すように、表示ユニット収納部１６８の前面側から見た左上部に設けられるようになっている。また、ガイド部１６２は表示ユニット収納部１６８の前側部分を形成するものであり、このガイド部１６２に放熱手段２００を設けたことで、放熱手段２００は図８（ｂ）に示すように、遊技盤１と、該遊技盤１の裏面に設けられた押圧部８３，８３，…によって後方に押し込まれた表示ユニット１７０との間となる前後位置に配される。
【０１１３】
以上のことから、放熱手段２００を、表示ユニット収納部１６８の上側であって遊技盤１と表示ユニット１７０との間となる位置に配設したこととなる。
【０１１４】
この放熱手段２００は、図７に示すように、ファン２１０と、該ファン２１０を収納するファン収納部２２０とからなる換気装置２０１を備え、この換気装置２０１により表示ユニット収納部１６８内の換気を行い、熱を放出するものである。
【０１１５】
ファン２１０は電子機器等に用いられる周知のファンであり、直方体形状の筐体２１１に、該筐体２１１の対向する一組の面を垂直に貫通する円筒形の空間２１２が形成され、該空間２１２内に図示しない駆動源（モータ）と風車が配されている。そして、駆動源により風車を回転駆動することで、円筒形の空間２１２の一端から他端へ風が送られるようになっている。
【０１１６】
裏機構枠１６０の前面側から見て左側のガイド部１６２における、裏機構枠本体１６１の上部に沿って配される部分には、このファン２１０を収納するファン収納部２２０が形成されている。このファン収納部２２０は、直方体状の筐体２１１を有するファン２１０をちょうど収納できる大きさの空間で、後面側が開口しており、ここからファン２１０を挿入することで収納できるようになっている。また、ファン収納部２２０の上下には、収納されたファン２１０が抜け落ちない大きさの開口２２１，２２１が形成され、表示ユニット収納部１６８の内側と外側が連通するようになっており、ここに収納されるファン２１０による換気が可能とされている。
【０１１７】
このように構成される換気装置２０１は、ファン２１０をガイド部１６２に形成されたファン収納部２２０に対して送風方向が上下方向に沿うように収納し、この状態でガイド部１６２を裏機構枠本体１６１に取り付ける。これにより、ファン収納部２２０の後方の開口が裏機構枠本体１６１により閉鎖され、ファン２１０がファン収納部２２０内に保持される。
【０１１８】
また、ファン２１０の側面のうち、ガイド部１６２と接する前側の側面と、裏機構枠本体１６１と接する後側の側面には、振動防止部材２１３が設けられている。この振動防止部材２１３は、薄いシート状のゴムやスポンジなどの弾性部材からなり、ファン２１０の駆動により発生する振動で裏機構枠１６０が振動することを防止するものである。これにより、表示ユニット収納部１６８に収納された表示ユニット１７０が振動して画像表示が見にくくなったり、騒音が発生したりすることを防止できる。また、放熱効果の高い高回転のファンを備えても振動による問題の発生が少ない。
【０１１９】
以上のことから、放熱手段２００は、該放熱手段２００からの振動が裏機構枠１６０に伝達することによる裏機構枠１６０の振動を防止する振動防止部材２１３を備えたこととなる。
【０１２０】
以上のような構成を有する放熱手段２００は、表示ユニット収納部１６８の内部から外部へ（下から上へ）風を送るようにファン２１０を駆動することで表示ユニット収納部１６８内の熱を外部に放出するようになっている。放熱手段２００の上側の開口２２１は、図３に示すように、遊技機１００の裏面側に露出しており、遊技機１００の外部へ排気できるようになっている。また、表示ユニット収納部１６８の下部は周囲壁１８７やガイド部１６２が無く、大きく開口しており、ここから外部の空気が流入するようになっている。これにより、表示ユニット収納部１６８内の換気が行われ、熱を外部に放出できるようになっている。
【０１２１】
また、遊技盤１と表示ユニット収納部１６８の周面を形成するガイド部１６２，１６２、貯留タンク１９２の前端は、遊技盤１の裏面に近接して配されるようになっているので多少の隙間はあいており、ここを通じても換気が行われる。また、役物装置４０、表示領域区画壁９２，６４によって遊技盤１の裏面に形成され、表示ユニット収納部１６８内に位置する筒状の空間は、役物装置４０、各表示領域区画壁９２，６４どうしが完全に連結されていないため多少の隙間が開いており、ここを通じて換気が行われる。さらに、役物装置４０、表示領域区画壁９２，６４の後端は、表示ユニット１７０の前面に近接して配されるようになっているので多少の隙間はあいており、ここを通じても換気が行われる。これにより、遊技機１００にこもる熱を外部に逃がすことができ、各種電気機器の故障を防止できるとともに、遊技盤１の熱による変色を防止できる。
【０１２２】
なお、ファン２１０は常時駆動するようにしても良いし、温度センサを表示ユニット収納部１６８内に設け、所定の温度を超えた際に駆動するようにしても良い。
また、換気装置２０１は、ファン２１０により表示ユニット収納部１６８内の空気を排気するものとしたが、逆に外部の空気を表示ユニット収納部１６８内に送り込むことで表示ユニット収納部１６８内の換気を行うものでも良い。
また、換気装置２０１は、ガイド部１６２に備えるとしたが、表示ユニット収納部１６８の上部（上面）であれば、どこに配設しても良い。
また、放熱手段２００は、表示ユニット収納部１６８内の換気を行うことで放熱するものとしたが、外部と連通する開口部を備え自然対流により放熱するもの、放熱板、ヒートシンクを備えるもの、水や冷媒などを循環させて冷却するものを用いても良い、さらに、これらを単独で用いても良いし、併用しても良い。
【０１２３】
以上のことから、遊技領域（第１遊技領域１ａ）を有する遊技盤１を着脱自在に装着する前面枠１２０と、遊技盤１の後方位置であって前面枠１２０の裏面に設けられ、画像を表示する表示ユニット１７０を配設した裏機構枠１６０と、を備えた遊技機１００において、遊技盤１は、透明合成樹脂で形成することで、該遊技盤１を透して表示ユニット１７０の表示画像を遊技機前方から視認可能とし、裏機構枠１６０は、前側に開口した凹室状の表示ユニット収納部１６８を備え、該表示ユニット収納部１６８に表示ユニット１７０を収納することで、前面枠１２０における遊技盤１の後方位置であって該遊技盤１と所定間隔を設けた状態で表示ユニット１７０を配設可能とし、裏機構枠１６０に表示ユニット収納部１６８の内部の熱を外部に放出する放熱手段２００を設けたこととなる。
【０１２４】
また、放熱手段２００は、ファン２１０により表示ユニット収納部１６８内の換気を行う換気装置２０１を備えたこととなる。
【０１２５】
以上のような遊技機１００は、遊技領域（第１遊技領域１ａ）を有する遊技盤１を着脱自在に装着する前面枠１２０と、遊技盤１の後方位置であって前面枠１２０の裏面に設けられ、画像を表示する表示ユニット１７０を配設した裏機構枠１６０と、を備えた遊技機１００であって、遊技盤１は、透明合成樹脂で形成することで、該遊技盤１を透して表示ユニット１７０の表示画像を遊技機前方から視認可能とし、裏機構枠１６０は、前側に開口した凹室状の表示ユニット収納部１６８を備え、該表示ユニット収納部１６８に表示ユニット１７０を収納することで、前面枠１２０における遊技盤１の後方位置であって該遊技盤１と所定間隔を設けた状態で表示ユニット１７０を配設可能とし、裏機構枠１６０に表示ユニット収納部１６８の内部の熱を外部に放出する放熱手段２００を設けている。
【０１２６】
したがって、前面枠１２０における遊技盤１の後方位置に表示ユニット１７０を配設するとともに、遊技盤１を透明合成樹脂で形成することで、該遊技盤１を透して表示ゲームを遊技機前方から視認可能に構成したので、遊技盤１を交換する場合でも、表示ユニット１７０は交換する必要がないので、表示ユニット１７０を新たな遊技盤１でも使用できるといった効果を奏する。また、遊技機１００の入れ替え時に遊技機全体を交換する場合でも、表示ユニット１７０は遊技盤１と別構成であるので、表示ユニット１７０を簡単に取り外せることから、表示ユニット１７０を再利用する際にも効果的である。また、遊技盤１と所定間隔を設けた状態で表示ユニット１７０を配設するようにしたので、画像表示を見やすくすることができ、また、遊技盤１と表示ユニット１７０の間の空部に役物装置を備えることもでき、この空部の間隔を大きくすれば大型の役物装置の配設も可能となり、遊技の興趣を高めることができる。
【０１２７】
また、裏機構枠１６０に表示ユニット収納部１６８の内部の熱を外部に放出する放熱手段２００を設けたので、遊技機１００にこもる熱を外部に逃がすことができ、各種電気機器の故障を防止できるとともに、遊技盤１の変色を防止できる。
【０１２８】
また、遊技盤１の裏面であって表示ユニット収納部１６８と対向する位置に、遊技盤前方から視認可能で前方に備えられる前面装飾部材４１と、前面装飾部材４１の後方に設けられた可動部材４２と、前面装飾部材４１の後方に設けられ可動部材４２を駆動する駆動源（モータ４３）と、を備え、駆動源を動作することで、可動部材４２を前面装飾部材４１で隠蔽された位置から遊技者に視認可能な位置に現出させるようにした役物装置４０を設け、役物装置４０は表示ユニット収納部１６８に収納されている。
【０１２９】
したがって、可動部材４２を前面装飾部材４１で隠蔽された位置から遊技者に視認可能な位置に現出させるようにした役物装置４０を設けたので、遊技の興趣を向上できる。
また、役物装置４０は表示ユニット収納部１６８に収納されるようにしたので、役物装置４０から放出される熱も放熱手段２００により逃がすことができる。特に、本実施形態にかかる遊技機１００では、駆動源（モータ４３）の近く（真上）にファン２１０を備えたので、駆動源からの熱を効率よく外部に放出することができる。
【０１３０】
また、放熱手段２００は、ファン２１０により表示ユニット収納部１６８内の換気を行う換気装置２０１を備えている。
【０１３１】
したがって、放熱手段２００は、ファン２１０により表示ユニット収納部１６８内の換気を行う換気装置２０１を備えるので、効率よくかつ確実に表示ユニット収納部１６８内の熱を外部に放出できる。
【０１３２】
また、放熱手段２００は、該放熱手段２００からの振動が裏機構枠１６０に伝達することによる裏機構枠１６０の振動を防止する振動防止部材２１３を備えている。
【０１３３】
したがって、放熱手段２００は、該放熱手段２００からの振動が裏機構枠１６０に伝達することによる裏機構枠１６０の振動を防止する振動防止部材２１３を備えるので、放熱手段２００の駆動に伴って遊技盤１や表示ユニット１７０が揺れてしまうことを防止できる。
【０１３４】
また、放熱手段２００を、表示ユニット収納部１６８の上側であって遊技盤１と表示ユニット１７０との間となる位置に配設している。
【０１３５】
したがって、放熱手段２００を、表示ユニット収納部１６８の上側であって遊技盤１と表示ユニット１７０との間となる位置に配設したので、特に熱がこもりやすい遊技盤１と表示ユニット１７０の間から効率よく熱を逃がすことができる。
【０１３６】
なお、本発明の遊技機は、遊技機として、前記実施の形態に示されるようなパチンコ遊技機に限られるものではなく、例えば、その他のパチンコ遊技機、アレンジボール遊技機、雀球遊技機などの遊技球を使用する全ての遊技機に適用可能である。
【０１３７】
また、今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【０１３８】
【図１】本発明を適用した一実施の形態の構成を示す遊技機の前面側から見た斜視図であって、透明部材保持枠を開放した様子を示す図である。
【図２】遊技盤を取り外した遊技機の前面側から見た斜視図であって、透明部材保持枠を開放した様子を示す図である。
【図３】遊技機の裏面側を示す斜視図である。
【図４】遊技盤の裏面側を示す斜視図である。
【図５】裏機構枠の前面上側から見た斜視図である。
【図６】裏機構枠の前面下側から見た斜視図である。
【図７】裏機構枠の前面側から見た分解斜視図である。
【図８】遊技盤と裏機構枠の位置関係を説明するための図であって、（ａ）正面図、（ｂ）（ａ）に示すＡ−Ａ断面における断面図である。（ｃ）（ａ）に示すＢ−Ｂ断面における断面図である。
【符号の説明】
【０１３９】
１      遊技盤
１ａ    第１遊技領域（遊技領域）
４０    役物装置
４１    前面装飾部材
４２    可動部材
４３    モータ（駆動源）
１００  遊技機
１２０  前面枠
１６０  裏機構枠
１６８  表示ユニット収納部
１７０  表示ユニット
２００  放熱手段
２０１  換気装置
２１０  ファン
２１３  振動防止部材
【図１】
2008142378.tif 000003
【図２】
2008142378.tif 000004
【図３】
2008142378.tif 000005
【図４】
2008142378.tif 000006
【図５】
2008142378.tif 000007
【図６】
2008142378.tif 000008
【図７】
2008142378.tif 000009
【図８】
2008142378.tif 000010